(57)【要約】【課題】組立作業が容易に行えるユニットルームの壁パネル及びその接続構造を提供する。【解決手段】一側端に頂部の幅が底部の幅より狭窄した凸条を有する第１の壁パネルと、上記凸条に対置される側端に該凸条と嵌合する形状に形成された凹溝を有する第２の壁パネルとを、上記凸条及び凹溝においてさねはぎに接合する。【選択図】  図７
2006028836.tif 000002
【特許請求の範囲】
【請求項１】
一側端に頂部の幅が底部の幅より狭窄した凸条を有する第１の壁パネルと、上記凸条に対置される側端に該凸条と嵌合する形状に形成された凹溝を有する第２の壁パネルとを、上記凸条及び凹溝においてさねはぎに接合することを特徴とするユニットルームの壁パネル接合構造。
【請求項２】
前記凸条は、底部から頂部に向かうにしたがって幅が漸次狭窄する形状に形成されたことを特徴とする請求項１記載のユニットルームの壁パネル接合構造。
【請求項３】
前記凸条は、底部から頂部に向かうにしたがって幅が半円状に狭窄する形状に形成されたことを特徴とする請求項１記載のユニットルームの壁パネル接合構造。
【請求項４】
前記凸条は、その高さ方向中段から頂部に向かうにしたがって幅が漸次狭窄する形状に形成されたことを特徴とする請求項１記載のユニットルームの壁パネル接合構造。
【請求項５】
一側端に頂部の幅が底部の幅より狭窄した凸条を有することを特徴とするユニットルームの壁パネル。
【請求項６】
前記凸条は、底部から頂部に向かうにしたがって幅が漸次狭窄する形状に形成されたことを特徴とする請求項５記載のユニットルームの壁パネル。
【請求項７】
前記凸条は、底部から頂部に向かうにしたがって幅が半円状に狭窄する形状に形成されたことを特徴とする請求項５記載のユニットルームの壁パネル。
【請求項８】
前記凸条は、その高さ方向中段から頂部に向かうにしたがって幅が漸次狭窄する形状に形成されたことを特徴とする請求項５記載のユニットルームの壁パネル。
【発明の詳細な説明】
【技術分野】
【０００１】
本発明は、浴室等のユニットルームの壁面を構成する壁パネル、及び斯かるユニットルームの壁パネル相互間の接続構造に関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このユニットルームの一形態であるユニットバスルームにおいて、上下端面がさねはぎ（一方を凸，他方を凹に彫って合わせる板の接合方法）形状に形成された押出セメント板を防水パン上に横積みして、この上下に積み上げられた押出成形セメント板の長手方向端部をコーナー柱やドア縦枠等に連結固定するとともに、上端部を天井パネルに連結固定し、下端部は前記防水パンに形成された突部に嵌合固定して側壁面を構築する横積み構造が提案されている（例えば、特許文献１参照）。
【０００４】
この構造は、壁面端部から他端までの横方向には１枚のパネルで掛け渡すことが可能であり、また、上下のパネルをさねはぎ接合に嵌合させることから面外撓み（左右方向中央部が室内側へ張り出す、或いは室外側へ退行する）の虞も少ないため、連結材や中間支柱が不要となって、合理的な構造といえる。
【０００５】
しかしながら、この構造は、例えば図１４（ａ）に示すように、組立作業時において、上段の壁パネル１１０Ａ下側端の凹部１１５を下段の壁パネル１１０上側端の凸部１４に外嵌接続させるには、前後の位置合わせを精密に行う必要がある。同時に、同図（ｂ）に示すように、上段の壁パネル１１０Ａを垂直に保持しなければ、凹部１１５を凸条１１４にうまく外嵌させることはできない。特に作業者が一人の場合、重量のある押出成形セメント板を持ち上げてこの作業を行うことは困難である。
【０００６】
さりとて、この問題を回避すべく、同図（ｃ）に示すように、凹部１１５と凸部１１４との隙間を大きくすれば、壁パネル１１０，１１０Ａ間の遊びが大きくなってがたつきが発生する虞がある。また、上下の壁パネル接合部に段差が生じて意匠性が低下する。さらに、水密性が要求される場合、この接続部に介装される水密パッキンの固定がルーズになって水密性が低下する。
【特許文献１】特開平６−４２０７５号公報
【発明の開示】
【発明が解決しようとする課題】
【０００７】
本発明は、上述した事情を考慮してなされたもので、組立作業が容易に行えるユニットルームの壁パネル及びその接続構造を提供することを目的とするものである。
【０００８】
本発明の他の目的は、意匠性、水密信頼性のあるユニットルームの壁パネル及びその接続構造を提供することにある。
【課題を解決するための手段】
【０００９】
本発明に係るユニットルームの壁パネル接合構造は、上述した課題を解決するために、請求項１に記載したように、一側端に頂部の幅が底部の幅より狭窄した凸条を有する第１の壁パネルと、上記凸条に対置される側端に該凸条と嵌合する形状に形成された凹溝を有する第２の壁パネルとを、上記凸条及び凹溝においてさねはぎに接合するものである。
【００１０】
この壁パネル接合構造における凸条は、請求項２に記載したように、底部から頂部に向かうにしたがって幅が漸次狭窄する形状に形成されたものであっても、請求項３に記載したように、底部から頂部に向かうにしたがって幅が半円状に狭窄する形状に形成されたものであってもよい。この凸条は、或いは請求項４に記載したように、その高さ方向中段から頂部に向かうにしたがって幅が漸次狭窄する形状に形成されたものとすることもできる。
【００１１】
したがって、斯かるユニットルームの壁パネル接合構造に使用されるユニットルームの壁パネルは、請求項５に記載したように、一側端に頂部の幅が底部の幅より狭窄した凸条を有するものである。
【００１２】
この壁パネルの凸条は、請求項６に記載したように、底部から頂部に向かうにしたがって幅が漸次狭窄する形状に形成されたものであっても、請求項７に記載したように、底部から頂部に向かうにしたがって幅が半円状に狭窄する形状に形成されたものであってもよい。この凸条は、或いは請求項８に記載したように、その高さ方向中段から頂部に向かうにしたがって幅が漸次狭窄する形状に形成されたものとすることもできる。
【発明の効果】
【００１３】
本発明に係るユニットルームの壁パネル及びその接続構造によれば、壁パネル間の前後位置合わせや垂直性確保等の調整作業負荷が軽減され、組立作業が容易に行えるユニットルームの壁パネル及びその接続構造を提供することができる。
【００１４】
本発明は、意匠性、水密信頼性のあるユニットルームの壁パネル及びその接続構造を得られる効果がある。
【発明を実施するための最良の形態】
【００１５】
本発明に係るユニットルームの壁パネル及びその接続構造の実施の形態について、添付図面を参照して説明する。図１は、本発明に係る壁パネルを構成要素とするユニットルーム１の全体的な概要を示すものである。本実施形態に示されたユニットルーム１は、床２と、壁３と、コーナー支柱４と図示しない天井パネル及び出入り口とを備え、一定の広さを有する空間を形成する。
【００１６】
床２は、建築床或いは防水パンで構成され、床２の四周には、壁３を構成する壁パネル１０を載置可能な壁パネル載置部２ａが形成される。
【００１７】
コーナー支柱４は、この床の四隅に立設され、壁パネル１０，１０Ａを立設状態に保持するものである。
【００１８】
壁３は、壁パネル載置部２ａ上に立設された下段の壁パネル１０と、その上に載置された上段の壁パネル１０Ａとから構成される。壁パネル１０，１０Ａは、さねはぎに接合されて、床２の外縁に設けられた壁パネル載置部２ａ上に載置され、立設されたコーナー支柱４，４間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００１９】
ユニットルーム１の壁３を構成する壁パネルのうち下段に設置される壁パネル１０は、図２に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、厚さが３０ｍｍ程度の押出成形セメント板に比べて薄く、また、重量も押出成形セメント板より格段に軽く、運搬上及び組立上取り扱い易いものとなっている。そして、押出成形セメント板よりも安価に製造することができる。
【００２０】
表面材１１の上側端は、図２（ｃ）に示すように、背面側に折曲されて、さねはぎ接合に供される凸条１４が形成される。この凸条１４は、その幅が底部１４ａから頂部１４ｂに向かうにしたがって漸次狭窄する形状に形成される。これに対し、表面材１１の下側端は、図２（ｄ）に示すように、背面側に折曲されて凹条１５が形成される。そして、表面材の両側端は、図２（ｅ）に示すように、単純に背面側に直角に折曲されて、芯材１２の端部を保護する。
【００２１】
また、壁パネル１０の背面には、上方の両端近傍に図２（ｃ）に示す掛止孔１２ａが凹設される。壁パネル１０は、この掛止孔１２ａが、支柱４に突設された、後述するピン３０ｄに掛止されて立設される。
【００２２】
一方、ユニットルーム１の壁３を構成する壁パネルのうち上段に設置される壁パネル１０Ａは、図３に示すように、基本的には壁パネル１０と同様に形成されるが、下側端に設けられた凹溝１５Ａは、壁パネル１０の凸条１４と嵌合する形状に形成される。すなわち、凹溝１５Ａの溝幅は、底部１５ｂから頂部１５ａに向かうにしたがって漸次拡開する。また、壁パネル１０Ａの上側端は、両側端同様、単純に背面側に直角に折曲される。
【００２３】
コーナー支柱４は、ユニットルーム１の出隅のコーナーに設けられ、壁３の荷重を支持するとともに、壁パネルの表面相互間で出入りが生じないように配置する機能を有する。このコーナー支柱４は、室内側に位置するコーナー目地２０と、壁パネル裏面側に位置するコーナーバックアップ材３０とから構成される。
【００２４】
コーナー目地２０は、図４に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００２５】
軟質部２０ｂは、例えばオレフィン系エラストマーからなる柔軟な部材で、コーナー目地２０が壁パネル１０に押圧されると変形して壁パネル１０に圧着され、水密性を高める。
【００２６】
支持部２０ｃは、例えばステンレス鋼板を２つに折曲して断面が略Ｙ字状の棒体に形成される。支持部２０ｃには、一定の間隔で系入片２０ｄが複数突設される。この系入片２０ｄが、コーナーバックアップ材３０に穿設された、後述するスリット３０ｄに系入されることにより、壁パネル１０がコーナー目地２０及びコーナーバックアップ材３０に挟持される。
【００２７】
コーナーバックアップ材３０は、図５（ａ）に示すように、細長い、例えば亜鉛メッキ鋼板等を折曲加工したもので、その短手方向断面は、図５（ｃ）に示すように、中央のコーナー目地掛合部３０ａと、このコーナー目地掛合部３０ａの両側端で４５度の角度で折曲された壁パネル受け部３０ｂ，３０ｂとからなる。
【００２８】
コーナー目地掛合部３０ａには、所定の間隔で、コーナー目地２０の系入片２０ｄが系入される複数のスリット３０ｄが穿設されている。一方、壁パネル受け部３０ｂには、図５（ｂ）に示すように、上段及び下段の壁パネルに設けられた掛止孔１２ａが対向する位置に、この掛止孔１２ａに嵌挿されるピン３０ｄが突設される。また、コーナー目地掛合部３０ａの下端近傍には、コーナーバックアップ材３０を、アングルピース等を介して床２の壁パネル載置部２ａに立設するためのボルト孔３０ｅが穿設される。
【００２９】
本実施の形態に係るユニットルーム１は上記のように構成されており、以下その壁パネルの取付順序について、図６に示すフローチャートを参照して説明する。
【００３０】
まず、建築床或いは防水パン等の床２上に、コーナーバックアップ材３０を立設する（ステップＳ１）。この立設は、例えば、床２上にアングルピースを固定し、このアングルピースに穿設されたボルト孔と、コーナーバックアップ材３０のボルト孔３０ｅとにボルトを連通螺挿して行う。
【００３１】
次に、下段の壁パネル１０の掛止孔１２ａを、立設されたコーナーバックアップ材３０のピン３０ｄに外嵌させて、壁パネル１０を立設する（ステップＳ２）。このユニットルームが水密性を要求されるものであれば、図７（ｂ）に示すように、壁パネル載置部２ａ上に水密材５０を敷設してから壁パネル１０を載置する。
【００３２】
続いて、上段の壁パネル１０Ａ下端の凹溝１５Ａを、下段の壁パネル１０上端の凸条１４に嵌合させてさねはぎ接合させた後、上段の壁パネル１０Ａの係止孔１２ａを、立設されたコーナーバックアップ材３０のピン３０ｄに外嵌させて、壁パネル１０Ａを立設する（ステップＳ３）。
【００３３】
このとき、壁パネル１０Ａが壁パネル１０の前後方向直上になくても、図８（ａ）に示すように、凹溝１５Ａの傾斜した側面が凸条１４の傾斜した側面に当接すると、壁パネル１０Ａはその斜面に沿って滑り落ち、自動的に所定の位置に載置される。
【００３４】
また、壁パネル１０Ａが前後方向に傾いた状態で保持されていても、図８（ｂ）に示すように、図８（ａ）の場合と同様に、凹溝１５Ａの傾斜した側面が凸条１４の傾斜した側面に当接すると、壁パネル１０Ａはその斜面に沿って滑り落ち、自動的に所定の位置に載置される。これは、本実施形態のように、コーナーバックアップ材３０から突出するピン３０ｄの存在により壁パネル１０Ａを垂直に保持することが困難な場合、特に有効である。
【００３５】
なお、下段の壁パネル１０の下側端の凹溝１５は、上段の壁パネル１０Ａの下側端の凹溝１５Ａと同形状に形成してもよい。このように形成することにより、一方の側端に凸条１４、他方の側端に凹溝１５Ａが必ず形成されるので、壁パネルの種類を、上段用、下段用に分ける必要がなくなり、管理が容易となる。
【００３６】
一方、上段の壁パネル１０Ａの上側端は、化粧鋼板１１を１回折り曲げただけの形状に形成されているので、加工が容易であるというメリットが得られる。このように、実際にさねはぎに接合される側端以外は、任意の形状に形成することもできる。
【００３７】
続いて、図９に示すように、コーナー目地２０の系入片２０ｄを、コーナーバックアップ材３０のスリット３０ｃに系入させて、コーナー目地２０を取り付ける（ステップＳ４）。これにより、図１０に示すように、壁パネル１０，１０Ａは、コーナーバックアップ材３０とコーナー目地２０とに挟持され、壁パネル１０，１０Ａの掛止孔１２ａがコーナーバックアップ材３０のピン３０ｄから脱落することなく、堅固に固定される。
【００３８】
このとき、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じることもない。
【００３９】
このように、壁パネル１０，１０Ａの取付には、ビス止めやボルト締め等の工程がないので工数が減少し、工期の短縮、延いてはコストの低減が可能となる。
【００４０】
こうして立設された壁３上に天井パネル４０を載置すれば（ステップＳ５）、ユニットルームの外枠が完成する。天井パネル４０の取付は、例えば図７（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００４１】
本発明の要旨は、上述したように、一側端に頂部の幅が底部の幅より狭窄した凸条を有する第１の壁パネルと、上記凸条に対置される側端に該凸条と嵌合する形状に形成された凹溝を有する第２の壁パネルとを、上記凸条及び凹溝においてさねはぎに接合することにある。したがって、凸条の形状は、上述した実施形態に係るものに限られない。以下、凸条の形状のいくつかの変形例について説明する。
【００４２】
図１１（ａ）に示す第１の変形例では、下段の壁パネル１０Ｂの上側端に形成される凸条１４Ａは、頂部１５ａに向かうにしたがって溝幅が半円状に狭窄する形状に形成され、上段の壁パネル１０Ｃの下側端に形成される凹溝１５Ｂは、この凸条１５Ａと嵌合する形状に形成される。凸条及び凹溝をｋものように形成しても、本実施形態に係る壁パネルの接合構造と同様に、壁パネル間の前後位置合わせや垂直性確保等の調整作業負荷が軽減され、組立作業を容易に行うことができる。
【００４３】
図１２（ａ）に示す第２の変形例では、下段の壁パネル１０Ｄの上側端にある凸条１４Ｂは、底部近傍ではその幅は一定に確保されるものの、その高さ方向中段から頂部に向かうにしたがって幅が漸次狭窄する形状に形成される。
【００４４】
この場合、上段の壁パネル１０Ｅの下側端にある凹溝１５Ｃは、凸条１４Ｂと嵌合する形状に形成されても、また図１２（ａ）に示すように、溝幅が一定になるように形成されても、本実施形態に係る壁パネルの接合構造と同様に、壁パネル間の前後位置合わせや垂直性確保等の調整作業負荷が軽減され、組立作業を容易に行えるという効果を得ることができる。
【００４５】
図１３（ａ）に示す第３の変形例では、これまで説明した例とは異なり、第２の変形例に係る凹溝１５Ｃと凸条１４Ｂとの間に薄く柔軟な水密材１６が挟装される。これにより、室内で撒水された水がこのさねはぎ接合部から外部へと漏れることがより確実に防止できる。したがって、ユニットルームが、ユニットバスルームやユニットシャワールームとして使用される場合に特に有効である。この凸条と凹溝は、本実施形態に係る凸条１４と凹溝１５Ａ、第１の変形例に係る凸条１４Ａと凹溝１５Ｂの組み合わせであってもよい。
【００４６】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４７】
例えば、本実施形態においては、横積み構造のものを例にとって説明したが、本発明はこれに限られず、縦張り型の壁パネルにおいても、例えば、足下においては床に剛に結合し、そして、頂部においては天井に剛に接合する等してスパン中間の支柱を省略できる場合には、採用することが可能である。
【００４８】
また、ユニットルームも、ユニットバスルーム、ユニットシャワールーム、ユニットトイレルーム等に限られず、一側端に頂部の幅が底部の幅より狭窄した凸条を有する第１の壁パネルと、上記凸条に対置される側端に該凸条と嵌合する形状に形成された凹溝を有する第２の壁パネルとを、上記凸条及び凹溝においてさねはぎに接合するものであれば、物置やトランクルーム等であってもよい。
【図面の簡単な説明】
【００４９】
【図１】本発明に係る壁パネル及びその接続構造を備えるユニットルームの全体概要を示す図。
【図２】下段の壁パネルの詳細図で、（ａ）は正面図、（ｂ）は側面図、（ｃ）は（ａ）中のＡ−Ａ矢視図、（ｄ）は同Ｂ−Ｂ矢視図、（ｅ）は同Ｃ−Ｃ矢視図。
【図３】上段の壁パネルの詳細図で、（ａ）は正面図、（ｂ）は側面図、（ｃ）は（ａ）中のＤ−Ｄ矢視図。
【図４】コーナー目地の詳細図で、（ａ）は側面図、（ｂ）は側面図、（ｃ）は（ａ）中のＦ−Ｆ矢視図。
【図５】コーナーバックアップ材の詳細図で、（ａ）は正面図、（ｂ）は（ａ）中のＤ−Ｄ矢視図，（ｃ）は同Ｅ−Ｅ矢視図、（ｄ）は同Ｆ部拡大図。
【図６】本実施形態に係る壁パネルの組立順序を示すフローチャート。
【図７】図１に示された壁パネルの取付を説明する図であり、（ａ）は組立前の、（ｂ）は組立後の縦断面図。
【図８】（ａ）は上段壁パネルの前後方向の位置合せ、（ｂ）は上段壁パネルが傾いた状態からの取付を説明する縦断面図。
【図９】コーナーバックアップ材にコーナー目地を取り付ける様子を説明する図。
【図１０】壁パネルの取付状態を示す横断面図。
【図１１】本実施形態に示された壁パネルの第１の変形例を示す図であり、（ａ）は組立前の、（ｂ）は組立後の縦断面図。
【図１２】本実施形態に示された壁パネルの第２の変形例を示す図であり、（ａ）は組立前の、（ｂ）は組立後の縦断面図。
【図１３】本実施形態に示された壁パネルの第３の変形例を示す図であり、（ａ）は組立前の、（ｂ）は組立後の縦断面図。
【図１４】従来の横積み構造の壁パネル取付を説明する図であり、（ａ）は前後方向位置あわせ時、（ｂ）は上段パネル傾斜時、（ｃ）は凹部と凸部との隙間を大きくした場合の例を示す図。
【符号の説明】
【００５０】
１  ユニットルーム
２  床
２ａ  壁パネル載置部
３  壁
４  コーナー支柱
１０，１０Ａ，１０Ｂ，１０Ｃ，１０Ｄ，１０Ｅ  壁パネル
１１  表面材
１２  芯材
１２ａ  掛止孔
１３  裏面材
１４，１４Ａ，１４Ｂ  凸条
１４ａ  底部
１４ｂ  頂部
１５，１５Ａ，１５Ｂ，１５Ｃ  凹溝
１５ａ  頂部
１５ｂ  底部
１６，５０  水密材
２０  コーナー目地
２０ａ  目地本体
２０ｂ  軟質部
２０ｃ  支持部
２０ｄ  係入片
３０  コーナーバックアップ材
３０ａ  コーナー目地掛合部
３０ｂ  壁パネル受け部
３０ｃ  スリット
３０ｄ  ピン
３０ｅ  ボルト孔
４０  天井パネル
４１  接続ピース
４１ａ，４１ｂ  嵌合凹部
【図１】
2006028836.tif 000003
【図２】
2006028836.tif 000004
【図３】
2006028836.tif 000005
【図４】
2006028836.tif 000006
【図５】
2006028836.tif 000007
【図６】
2006028836.tif 000008
【図７】
2006028836.tif 000009
【図８】
2006028836.tif 000010
【図９】
2006028836.tif 000011
【図１０】
2006028836.tif 000012
【図１１】
2006028836.tif 000013
【図１２】
2006028836.tif 000014
【図１３】
2006028836.tif 000015
【図１４】
2006028836.tif 000016